(57)【特許請求の範囲】
【請求項１】
汚水が流入するための流入口を有し、槽内を仕切板により嫌気処理槽と好気処理槽と消毒槽に区画した浄化槽において、上記嫌気処理槽と好気処理槽とを区画する仕切板に上記流入口の開口面積より小さな開口面積となり汚水を移流させるための移流口を設け、該移流口よりも下側に設けられて空気を吐出するための散気部材からなる閉塞防止装置を設け、上記散気部材の直上部分に位置して上記仕切板との間に上記散気部材からの気泡を案内し前記移流口に送り込むための誘導壁を設けた汚水浄化槽。
【請求項２】
上記誘導壁が上記移流口と離間して対向する部分と移流口の上方に位置して仕切板に接する部分からなる側断面Ｌ字形の壁であることを特徴とする請求項１に記載の汚水浄化槽。
【発明の詳細な説明】
【０００１】
【発明の属する技術分野】
本発明は、汚水浄化槽に関する。
【０００２】
【従来の技術】
汚水浄化槽は、汚水を流入させて浄化処理を施して放流を行うものであり、環境問題を重視する声の高まりから広く普及してきている。図５は、従来例を示す、汚水浄化槽の縦断面図である。図５を用いて汚水浄化槽の説明を行うと、汚水浄化槽１は、汚水を流入するための流入口７と、処理を終えた水を放流する流出口８とを備え、槽内を仕切板１２、１３、１４、２２により区画している。
【０００３】
仕切板１２、１３、１４、２２により区画された槽は、上流側から、嫌気処理槽第１室２、嫌気処理槽第２室３、好気処理槽４、処理水槽５、消毒槽６となっている。上記嫌気処理槽第１室２及び嫌気処理槽第２室３は、その内部に嫌気濾材２５、２６を備え、嫌気性微生物により汚水の嫌気処理を行う。好気処理槽４は、その内部に上下２段に重ねられた好気濾材２７、２８を備え、好気濾材２７と好気濾材２８との間に設置した散気部材１５から空気泡を吐出させることで槽内を好気状態に保ち、好気性微生物により汚水の好気処理を行う。処理水槽５は、嫌気処理及び好気処理を終えた処理水の固液分離を行い、消毒槽６は、放流する処理水の滅菌処理を行う。
【０００４】
仕切板１２、１３、１４、２２には、汚水を移流させるための移流口が設けられており、仕切板１２に移流口９、仕切板１３に移流口１０、仕切板１４に移流口１１、仕切板２２に移流口２３を設けている。移流口９、１０、１１、２３は、そこを通過する汚水中の夾雑物等により閉塞することを避けるために充分に大きな断面積を有するようにしてあり、具体的には、汚水の流入する流入口７の開口面積と同等面積又はより大きな開口面積となるようにしている。
【０００５】
【発明が解決しようとする課題】
しかしながら、従来の汚水浄化槽は、浴槽の水抜きを行う場合（７０〜１００ｌ／分）などの様に、短時間に大量の汚水が流入すると、汚水が浄化槽内に留まる時間が短くなり、汚水処理が不安定になるとの課題を有している。
【０００６】
本発明は、上記のような課題に鑑みてなされたものであり、短時間に大量の汚水が流入しても、安定して処理を行うことができる汚水浄化槽を提供することを目的とする。
【０００７】
【課題を解決するための手段】
本発明は、次のものに関する。
（１）汚水が流入するための流入口を有し、槽内を仕切板により嫌気処理槽と好気処理槽と消毒槽に区画した浄化槽において、上記嫌気処理槽と好気処理槽とを区画する仕切板に上記流入口の開口面積より小さな開口面積となり汚水を移流させるための移流口を設け、該移流口よりも下側に設けられて空気を吐出するための散気部材からなる閉塞防止装置を設け、上記散気部材の直上部分に位置して上記仕切板との間に上記散気部材からの気泡を案内し前記移流口に送り込むための誘導壁を設けた汚水浄化槽。
（２）上記誘導壁が上記移流口と離間して対向する部分と移流口の上方に位置して仕切板に接する部分からなる側断面Ｌ字形の壁である（１）に記載の汚水浄化槽。
【０００８】
【発明の実施の形態】
本発明に用いる移流口は、１つの仕切板に対して１つ又は複数個設けられるものであり、開口面積（汚水の流入方向と直交する方向の断面積Ａ）、又は、開口総面積（汚水の流入方向と直交する方向の断面積を全て加えた総断面積Ｂ）が、流入口の開口面積（汚水流入方向と直交する方向の断面積Ｃ）よりも小さな開口面積となるようにする必要がある。また、断面積Ａ又はＢが断面積Ｃよりも小さくなる移流口は、全ての仕切板に設けても、任意の１つの仕切板に設けても良いが、嫌気処理を行う槽と好気処理を行う槽とを区画する仕切板に設けることが好ましい。
【０００９】
本発明に用いる閉塞防止装置は、移流口が閉塞することを防止するものであれば特に限定されるものではなく、具体的には、仕切板を振動させる振動装置、移流口に挿入する棒を挿抜可能に移動させる棒移動装置、移流口の下側に設置して移流口に空気泡を当てる散気部材等を用いることが可能であり、中でも散気部材を用いることが好ましい。また、散気部材を設置する場合には、その設置位置を仕切板の片側又は両側とすることができる。
【００１０】
【実施例】
以下図面を用いて、本発明の実施例を説明する。図１は、本発明の実施例を示す汚水浄化槽の縦断面図である。汚水浄化槽１は、流入口７及び流出口８を有し、槽内を仕切板１２、１３、１４、２２により区画して、上流側より、嫌気処理槽第１室２、嫌気処理槽第２室３、好気処理槽４、処理水槽５、消毒槽６を設けている。上記仕切板１２、１３、１４、２２には、それぞれに１つの移流口を設けてあり、仕切板１２に移流口９、仕切板１３に移流口１０、仕切板１４に移流口１１、仕切板２２に移流口２３を設けている。また、移流口９、１１、２３の汚水流入方向と直交する方向の断面積は、流入口７の汚水流入方向と直交する方向の断面積と等しくしており、移流口１０の汚水流入方向と直交する方向の断面積は、流入口７の汚水流入方向と直交する方向の断面積よりも小さくしている。
【００１１】
水の流れについて説明すると、汚水は、流入口７より嫌気処理槽第１室２に流入し、嫌気濾材２５により固形分が分離されると共に、嫌気性微生物による嫌気処理が行われ、移流口９を介して嫌気処理槽第２室３へと移流する。嫌気処理槽第２室３に移流した汚水は、嫌気処理槽第１室２と同様に、嫌気濾材２６により固液分離が行われると共に、嫌気処理がなされ、移流口１０を介して好気処理槽４へと移流する。
【００１２】
好気処理槽４では、散気部材１５から空気泡を吐出することにより、槽を好気状態に保ち、好気濾材２７、２８により好気処理及び固液分離を行う。移流口１１より処理水槽５へと移流した汚水は、移流口２３より消毒槽６へと流入し、消毒槽６では、滅菌処理を施し、処理水を流出口８より放流する。
【００１３】
仕切板１３に設けられた移流口１０は、その開口断面積が、流入口７の汚水流入方向と直交する方向の断面積よりも小さくなっており、汚水が移流する際の抵抗となっている。従って、移流口１０よりも上流側の槽は、流入口７から短時間に大量の汚水が流入しても、それを直ちに移流口１０よりも下流側の槽へと移流させることがなく、汚水の滞留時間を長期化させることができる。
【００１４】
図２は、図１に示す移流口１０部分の拡大断面図を示す。移流口１０の好気処理槽４側の下方には、散気部材１６が設置してあり、この散気部材１６より空気泡を吐出させることができる。空気泡は、その浮力により汚水中を上昇し、移流口１０を通過する際に付着物を取り除き、移流口１０を閉塞しないようにしている。
【００１５】
図３は、図２に示す散気部材の設置位置を変更した断面図である。散気部材１６は、仕切板の左右どちら側に設置してもよく、本実施例では、嫌気処理槽第２室３側に設置している。また、図面を省略するが、散気部材を仕切板の両側に設置してもよい。
【００１６】
図４は、図２に示す移流口に誘導壁を設けた断面図である。散気部材１６は、移流口１０の下側に設けることで、空気泡を移流口１０へと導くことができるものの、吐出する空気泡の全量が移流口１０を通過せず、利用されない空気泡も存在する。誘導壁１７は、散気部材１６の直上部分に設けた断面Ｌ字形の壁であり、このような誘導壁１７を設けると、散気部材１６から吐出する空気泡の全量を移流口１０へと送り込むことができる。
【００１７】
【発明の効果】
本発明は、仕切板に設ける移流口の断面積を流入口の断面積をよりも小さくすることで移流する汚水へ抵抗を与え、汚水の滞留時間を延長し、短時間に大量の汚水が流入した場合であっても、安定した汚水処理を行える汚水浄化槽を提供することができる。即ち、流入口断面積より小さい断面積を有する移流口を、嫌気処理を行う槽と好気処理を行う槽とを区画する仕切板に設けることにより、嫌気処理を行う槽全体を流量調整槽として使用することができ、汚水処理の第１段階である嫌気処理を充分に行うことができるようになる。
【００１８】
更に本発明は、嫌気処理槽と好気処理槽とを区画する仕切板に設けた移流口に閉塞防止装置を設けたので、移流口が閉塞することがなく、汚水処理を継続して行うことができ、中でも閉塞防止装置として散気部材を用いると、装置自体の設置スペースを小さくすることができる。また、散気部材の設置場所を好気処理槽側とすると、散気部材から吐出する空気泡により嫌気処理槽の嫌気状態を破壊することがない。更に、散気部材の直上に誘導壁を設けたので、好気状態を保つための散気部材をそのまま閉塞防止装置として活用できるので、特別に散気部材を設置する必用がなくなる。
本願請求項２に記載の発明によれば、誘導壁を移流口と離間して対向する部分と移流口の上方に位置して仕切板に接する部分からなる側断面Ｌ字形の壁としたので、散気部材から吐出する気泡の全量を確実に移流口へ送り込むことができ、移流口の閉塞を確実に防止できる。
【図面の簡単な説明】
【図１】本発明の実施例を示す汚水浄化槽の縦断面図である。
【図２】図１に示す移流口部分の拡大断面図を示す。
【図３】図２に示す散気部材の設置位置を変更した断面図である。
【図４】図２に示す移流口に誘導壁を設けた断面図である。
【図５】従来例を示す、汚水浄化槽の縦断面図である。
【符号の説明】
１．汚水浄化槽                      ２．嫌気処理槽第１室
３．嫌気処理槽第２室                ４．好気処理槽
５．処理水槽                        ６．消毒槽
７．流入口                          ８．流出口
９．移流口                          １０．移流口
１１．移流口                        １２．仕切板
１３．仕切板                        １４．仕切板
１５．散気部材                      １６．散気部材
１７．誘導壁                        ２２．仕切板
２３．移流口                        ２５．嫌気濾材
２６．嫌気濾材                      ２７．好気濾材
２８．好気濾材
【図１】
0004201955.tif 000002
【図２】
0004201955.tif 000003
【図３】
0004201955.tif 000004
【図４】
0004201955.tif 000005
【図５】
0004201955.tif 000006